(57)【要約】【課題】シール溝にシールリングを嵌め入れる際に、効率良くシールリングを変形させることが可能な、シールリング装着用器具を提供する。【解決手段】シール溝にシールリング１０００を嵌め入れる際に、シールリング１０００を変形させるためのシールリング装着用器具１００であって、第２ハンドル１２０は、第１脚部１１２ａと第２脚部１１２ｂとの間に位置する支軸１３０に対して回動可能に支持され、第２ハンドル１２０の第２グリップ１２１が第１グリップ１１１から最も遠ざかる第１状態位置においては、第２ハンドル１２０の第３係合部１２３は、第１ハンドル１１０から見て、第２グリップ１２１とは反対側に位置し、第２ハンドル１２０の第２グリップ１２１が第１グリップ１１１から最も近づく第２状態位置においては、第２ハンドル１２０の第３係合部１２３は、第１ハンドル１１０から見て、第２グリップ１２１と同じ側に置している。【選択図】図５
2020146769.tif 000002
【特許請求の範囲】
【請求項１】
シール溝にシールリングを嵌め入れる際に、前記シールリングを変形させるためのシールリング装着用器具であって、
一端側が二股に分かれた第１脚部および第２脚部と、他端側に把持するための第１グリップとを含む第１ハンドルと、
前記第１脚部および前記第２脚部の間に配置され、前記他端側に把持するための第２グリップとを含み、前記第１ハンドルに対して支軸を中心に、前記第１ハンドルに対して相対的に回動可能に設けられた第２ハンドルと、
を備え、
前記第１脚部の前記一端側の先端部には、前記シールリングに係合する第１係合部を含み、
前記第２脚部の前記一端側の先端部には、前記シールリングに係合する第２係合部を含み、
前記第２ハンドルの前記一端側の先端部には、前記シールリングに係合する第３係合部を含み、
前記支軸は、前記第１脚部と前記第２脚部とを橋渡すように設けられ、
前記第２ハンドルは、前記第１脚部と前記第２脚部との間に位置する前記支軸に対して回動可能に支持され、
前記第２ハンドルの前記第２グリップが前記第１グリップから最も遠ざかる第１状態位置においては、前記第２ハンドルの前記第３係合部は、前記第１ハンドルから見て、前記第２グリップとは反対側に位置し、
前記第２ハンドルの前記第２グリップが前記第１グリップから最も近づく第２状態位置においては、前記第２ハンドルの前記第３係合部は、前記第１ハンドルから見て、前記第２グリップと同じ側に位置している、シールリング装着用器具。
【請求項２】
前記支軸は、定常状態においては、前記第１ハンドルと前記第２ハンドルとを前記第１状態位置に付勢する付勢部材を有する、請求項１に記載のシールリング装着用器具。
【請求項３】
前記第１係合部および前記第２係合部は、前記第３係合部側に面する凹部を有し、
前記第３係合部は、前記第１係合部および前記第２係合部側に面する凹部を有する、請求項１または請求項２に記載のシールリング装着用器具。
【請求項４】
前記第１係合部および前記第２係合部は、前記凹部の深さが、前記一端側が深く、前記他端側が浅く設けられている、請求項３に記載のシールリング装着用器具。
【請求項５】
前記第１脚部は、前記第１係合部に係合した前記シールリングの他端側への移動を阻止する移動阻止部材を有し、
前記第２脚部は、前記第２係合部に係合した前記シールリングの他端側への移動を阻止する移動阻止部材を有する、請求項１から請求項４のいずれか１項に記載のシールリング装着用器具。
【発明の詳細な説明】
【技術分野】
【０００１】
本発明は、油空圧機器などにおけるロッド（ピストンロッド）とシリンダとの摺動隙間に用いられるシールリングを、シリンダに設けられたシール溝に装着する際に用いられる、シールリング装着用器具に関する。
【背景技術】
【０００２】
たとえば、油圧機器におけるシリンダとロッド（ピストンロッド）との摺動隙間には、油室に導入される作動油の漏れ（高圧側から低圧側への作動油の漏れ）を防止するとともに、ロッドの往復運動を円滑に実現するために、シリンダに設けられたシール溝にシールリングが嵌め入れられるシール構造が採用されている。このようなシール構造は、特開２０１４−２１４７６８号公報（特許文献１）に開示されている。
【先行技術文献】
【特許文献】
【０００３】
【特許文献１】特開２０１４−２１４７６８号公報
【発明の概要】
【発明が解決しようとする課題】
【０００４】
シール溝にシールリングを嵌め入れる際には、シールリングを変形させる必要があるが、シールリングの剛性が比較的大きい場合には、シールリングを変形させるために大きな力が必要となる。従来、人力によりシールリングを変形させていたが、作業効率が良いとは言えなかった。さらに、手作業で装着出来そうにない場合、工具（ドライバーの柄、六角など）を使い無理やり押し込むなどにより、シールリングが傷ついたり、適切に装着されない可能性があり、シールリングの性能が適切に発揮できないおそれもあった。
【０００５】
この発明は、上記課題を解決するためになされたものであり、シール溝にシールリングを嵌め入れる際に、効率良くシールリングを変形させることが可能な、シールリング装着用器具を提供することにある。
【課題を解決するための手段】
【０００６】
この発明に基づいたシールリング装着用器具においては、シール溝にシールリングを嵌め入れる際に、上記シールリングを変形させるためのシールリング装着用器具であって、以下の構成を備える。
【０００７】
一端側が二股に分かれた第１脚部および第２脚部、他端側に把持するための第１グリップとを含む第１ハンドルと、上記第１脚部および上記第２脚部の間に配置され、上記他端側に把持するための第２グリップとを含み、上記第１ハンドルに対して支軸を中心に、上記第１ハンドルに対して相対的に回動可能に設けられた第２ハンドルと、を備える。
【０００８】
上記第１脚部の上記一端側の先端部には、上記シールリングに係合する第１係合部を含み、上記第２脚部の上記一端側の先端部には、上記シールリングに係合する第２係合部を含み、上記第２ハンドルの上記一端側の先端部には、上記シールリングに係合する第３係合部を含み、上記支軸は、上記第１脚部と上記第２脚部とを橋渡すように設けられ、上記第２ハンドルは、上記第１脚部と上記第２脚部との間に位置する上記支軸に対して回動可能に支持されている。
【０００９】
上記第２ハンドルの上記第２グリップが上記第１グリップから最も遠ざかる第１状態位置においては、上記第２ハンドルの上記第３係合部は、上記第１ハンドルから見て、上記第２グリップとは反対側に位置し、上記第２ハンドルの上記第２グリップが上記第１グリップから最も近づく第２状態位置においては、上記第２ハンドルの上記第３係合部は、上記第１ハンドルから見て、上記第２グリップと同じ側に位置している。
【００１０】
他の形態においては、上記支軸は、定常状態においては、上記第１ハンドルと上記第２ハンドルとを上記第１状態位置に付勢する付勢部材を有する。
【００１１】
他の形態においては、上記第１係合部および上記第２係合部は、上記第３係合部側に面する凹部を有し、上記第３係合部は、上記第１係合部および上記第２係合部側に面する凹部を有する。
【００１２】
他の形態においては、上記第１係合部および上記第２係合部は、上記凹部の深さが、上記一端側が深く、上記他端側が浅く設けられている。
【００１３】
他の形態においては、上記第１脚部は、上記第１係合部に係合した上記シールリングの他端側への移動を阻止する移動阻止部材を有し、上記第２脚部は、上記第２係合部に係合した上記シールリングの他端側への移動を阻止する移動阻止部材を有する。
【発明の効果】
【００１４】
このシールリング装着用器具によれば、効率良くシールリングを変形させて、シール溝にシールリングを嵌め入れることを可能とする。
【図面の簡単な説明】
【００１５】
【図１】実施の形態１のシールリング装着用器具の全体構成を示す第１斜視図である。
【図２】実施の形態１のシールリング装着用器具の全体構成を示す第２斜視図である。
【図３】実施の形態１のシールリング装着用器具のハンドルを握った状態の斜視図である。
【図４】図３中のＩＶ−ＩＶ線矢視断面図である。
【図５】実施の形態１のシールリング装着用器具の使用状態を示す第１斜視図である。
【図６】実施の形態１のシールリング装着用器具の使用状態を示す第２斜視図である。
【図７】実施の形態２のシールリング装着用器具の全体構成を示す第１斜視図である。
【図８】実施の形態２のシールリング装着用器具の全体構成を示す第２斜視図である。
【図９】実施の形態２のシールリング装着用器具のハンドルを握った状態の斜視図である。
【図１０】実施の形態２のシールリング装着用器具の使用状態を示す第１斜視図である。
【図１１】実施の形態２のシールリング装着用器具の使用状態を示す第２斜視図である。
【図１２】実施の形態３のシールリング装着用器具の全体構成を示す第１斜視図である。
【図１３】実施の形態３のシールリング装着用器具の全体構成を示す第２斜視図である。
【図１４】実施の形態３のシールリング装着用器具のハンドルを握った状態の斜視図である。
【図１５】実施の形態３のシールリング装着用器具の使用状態を示す第１斜視図である。
【図１６】実施の形態３のシールリング装着用器具の使用状態を示す第２斜視図である。
【図１７】実施の形態４のシールリング装着用器具の全体構成を示す斜視図である。
【図１８】実施の形態５のシールリング装着用器具の全体構成を示す斜視図である。
【図１９】実施の形態６のシールリング装着用器具の全体構成を示す斜視図である。
【発明を実施するための形態】
【００１６】
本発明に基づいた各実施の形態のシールリング装着用器具について、以下、図を参照しながら説明する。以下に説明する各実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。各実施の形態における構成を適宜組み合わせて用いることは当初から予定されていることである。図においては、実際の寸法比率では記載しておらず、構造の理解を容易にするために、一部比率を異ならせて記載している。
【００１７】
（実施の形態１：シールリング装着用器具１００）
図１から図６を参照して、本実施の形態のシールリング装着用器具１００ついて説明する。図１および図２は、シールリング装着用器具１００の全体構成を示す第１斜視図および第２斜視図、図３は、シールリング装着用器具１００のハンドルを握った状態の斜視図、図４は、図３中のＩＶ−ＩＶ線矢視断面図、図５および図６は、シールリング装着用器具１００の使用状態を示す第１斜視図および第２斜視図である。
【００１８】
図１および図２を参照して、シールリング装着用器具１００は、シリンダの内周面に環状に設けられたシール溝にシールリングを嵌め入れる際に、このシールリングを変形させるためのシールリング装着用器具である。
【００１９】
シールリング装着用器具１００は、第１ハンドル１１０と第２ハンドル１２０とを有する。第１ハンドル１１０は、一端側が二股に分かれた第１脚部１１２ａおよび第２脚部１１２ｂと、他端側に把持するための第１グリップ１１１とを含む。第１脚部１１２ａおよび第２脚部１１２ｂは、丸棒をＵ字形状に成型した構成を有し、第１グリップ１１１は、Ｕ字形状の丸棒の頂点部分に溶接により固定されている。
【００２０】
第１脚部１１２ａの一端側の先端部には、シールリングに係合する第１係合部１１３ａが設けられている。第２脚部１１２ｂの一端側の先端部にも、同様に、シールリングに係合する第２係合部１１３ｂが設けられている。
【００２１】
第２ハンドル１２０は、第１脚部１１２ａおよび第２脚部１１２ｂの間を通過するように配置され、他端側に把持するための第２グリップ１２１を含み、第１ハンドル１１０に対して支軸１３０を中心に、第１ハンドル１１０に対して相対的に回動可能に設けられている。
【００２２】
第２ハンドル１２０の一端側の先端部には、シールリングに係合する第３係合部１２３が設けられている。
【００２３】
支軸１３０は、第１脚部１１２ａと第２脚部１１２ｂとを橋渡すように設けられている。支軸１３０の両端部は、それぞれ第１脚部１１２ａおよび第２脚部１１２ｂを貫通し、Ｃリング１２２により抜けが防止されている。
【００２４】
第２ハンドル１２０の中央部には、三角形状の支持プレート１２６が設けられ、この支持プレート１２６に支軸１３０が固定されている。
【００２５】
図２を参照して、第２ハンドル１２０の第３係合部１２３は、第１係合部１１３ａおよび第２係合部１１３ｂ側に面する凹部からなる。
【００２６】
図４を参照して、第１ハンドル１１０の第１係合部１１３ａおよび第２係合部１１３ｂは、第２ハンドル１２０の第３係合部１２３側に面する凹部からなり、本実施の形態では、第１係合部１１３ａおよび第２係合部１１３ｂは、凹部の深さが、一端側が深く、他端側が浅くなるように設けられている。
【００２７】
再び、図１および図２を参照して、図示する状態は、第２ハンドル１２０の第２グリップ１２１が第１グリップ１１１から最も遠ざかる第１状態位置であり、第２ハンドル１２０の第３係合部１２３は、第１ハンドル１１０から見て、第２グリップ１２１とは反対側に位置している。
【００２８】
他方、図３を参照して、図示する状態は、支軸１３０を中止に第２ハンドル１２０を、図中の矢印Ａ方向に回動させた後の状態を示し、第２ハンドル１２０の第２グリップ１２１が第１グリップ１１１に最も近づく第２状態位置であり、第２ハンドル１２０の第３係合部１２３は、第１ハンドル１１０から見て、第２グリップ１２１と同じ側に位置している。
【００２９】
第１ハンドル１１０および第２ハンドル１２０は、支軸１３０を回転中心として、相互に回動可能であるが、仮に第１ハンドル１１０を固定させた状態で観察すると、第２ハンドル１２０は、図１に示す第１状態位置と図３に示す第２状態位置との間を移動することができる。
【００３０】
支軸１３０には、コイルバネ１４０が装着され、一端は支軸１３０に固定され、他端は支持プレート１２６に固定されている。コイルバネ１４０の付勢力（ねじり力）は、第１ハンドル１１０と第２ハンドル１２０とを第１状態位置に付勢する力が作用する。第１脚部１１２ａと第２脚部１１２ｂとの間には、ストッパ棒１４１が橋渡しされ、第２ハンドル１２０が当接することで、第２ハンドル１２０の回転位置が固定される。このように、コイルバネ１４０およびストッパ棒１４１により、付勢部材が構成される。
【００３１】
（シールリング１０００の変形）
図５および図６を参照して、上記構成を有するシールリング装着用器具１００の使用状態について説明する。図５に示すように、定常状態（第１状態位置）にあるシールリング装着用器具１００の、第１係合部１１３ａ、第２係合部１１３ｂ、および、第３係合部１２３に、シールリング１０００位置させる。具体的には、シールリング１０００の内周面側に第１係合部１１３ａおよび第２係合部１１３ｂが位置し、シールリング１０００の外周面側に第３係合部１２３を位置させる。
【００３２】
図６に示すように、使用者が第１ハンドル１１０の第１グリップ１１１および第２ハンドル１２０の第２グリップ１２１を握り、第１グリップ１１１と第２グリップ１２１とを近接させる。これにより、図６に示すように、シールリング１０００は、平面視において略ハート型に変形する。
【００３３】
これにより、シールリング１０００の外径最大寸法は、シールリング１０００の通常状態の直径寸法より小さくすることができる。その結果、この状態で、シールリング１０００をシリンダの内周面に環状に設けられたシール溝にまで運びこみ、徐々にシールリング１０００は拡径させることで、容易に、シリンダの内周面に環状に設けられたシール溝にシールリング１０００を嵌め入れることを可能とする。
【００３４】
（実施の形態２：シールリング装着用器具２００）
図７から図１１を参照して、本実施の形態のシールリング装着用器具２００ついて説明する。図７および図８は、シールリング装着用器具２００の全体構成を示す第１斜視図および第２斜視図、図９は、シールリング装着用器具２００のハンドルを握った状態の斜視図、図１０および図１１は、シールリング装着用器具２００の使用状態を示す第１斜視図および第２斜視図である。
【００３５】
図７よび図８を参照して、シールリング装着用器具２００は、実施の形態１同様に、シリンダの内周面に環状に設けられたシール溝にシールリングを嵌め入れる際に、このシールリングを変形させるためのシールリング装着用器具である。
【００３６】
シールリング装着用器具２００は、第１ハンドル２１０と第２ハンドル２２０とを有する。第１ハンドル２１０は、一端側が二股に分かれた第１脚部２１２ａおよび第２脚部２１２ｂと、他端側に把持するための第１グリップ２１１とを含む。第１脚部２１２ａおよび第２脚部２１２ｂは、連結プレート２１５の一端側に固定され、第１グリップ２１１は、連結プレート２１５の他端側に固定されている。
【００３７】
第１脚部２１２ａの一端側の先端部には、実施の形態１と同様に、シールリングに係合する第１係合部１１３ａが設けられている。第２脚部１１２ｂの一端側の先端部にも、同様に、シールリングに係合する第２係合部１１３ｂが設けられている。第１係合部１１３ａおよび第２係合部１１３ｂの位置および形状は、実施の形態１と同じである。
【００３８】
第１係合部１１３ａの近傍の他端側（図示の上側）には、第１係合部１１３ａに係合したシールリングの他端側への移動を阻止する移動阻止部材２１３ａが取り付けられている。移動阻止部材２１３ａは棒状部材からなり、後述の支軸２３０の軸方向と同一方向に張出すように設けられている。
【００３９】
第２係合部１１３ｂの近傍の他端側（図示の上側）には、第２係合部１１３ｂに係合したシールリングの他端側への移動を阻止する移動阻止部材２１３ｂが取り付けられている。移動阻止部材２１３ｂは棒状部材からなり、後述の支軸２３０の軸方向と同一方向に張出すように設けられている。
【００４０】
第２ハンドル２２０は、第１脚部２１２ａおよび第２脚部２１２ｂの間を通過するように配置され、他端側に把持するための第２グリップ２２１を含み、第１ハンドル２１０に対して支軸２３０を中心に、第１ハンドル２１０に対して相対的に回動可能に設けられている。
【００４１】
第２ハンドル２２０の一端側の先端部には、シールリングに係合する第３係合部１２３が設けられている。第３係合部１２３の位置および形状は、実施の形態１と同じである。
【００４２】
支軸２３０は、連結プレート２１５内を貫通するように設けられている。支軸２３０の両端部は、Ｃリング２２２により抜けが防止されている。
【００４３】
第２ハンドル２２０の中央部には、三角形状の支持プレート２２６が設けられ、この支持プレート２２６に支軸２３０が固定されている。連結プレート２１５には、矩形形状の貫通孔２１６が設けられ、支持プレート２２６は、この貫通孔２１６に収容されている。
【００４４】
図７および図８に図示する状態は、第２ハンドル２２０の第２グリップ２２１が第１グリップ２１１から最も遠ざかる第１状態位置であり、第２ハンドル２２０の第３係合部１２３は、第１ハンドル２１０から見て、第２グリップ２２１とは反対側に位置している。
【００４５】
他方、図９を参照して、図示する状態は、支軸２３０を中止に第２ハンドル２２０を、図中の矢印Ａ方向に回動させた後の状態を示し、第２ハンドル２２０の第２グリップ２２１が第１グリップ２１１に最も近づく第２状態位置であり、第２ハンドル２２０の第３係合部１２３は、第１ハンドル２１０から見て、第２グリップ２２１と同じ側に位置している。
【００４６】
第１ハンドル２１０および第２ハンドル２２０は、支軸２３０を回転中心として、相互に回動可能であるが、仮に第１ハンドル２１０を固定させた状態で観察すると、第２ハンドル２２０は、図７に示す第１状態位置と図９に示す第２状態位置との間を移動することができる。
【００４７】
連結プレート２１５の内部には、実施の形態１と同様に、支軸２３０には、コイルバネが装着され、一端は支軸に固定され、他端は支持プレート２２６に固定されている。コイルバネの付勢力（ねじり力）は、第１ハンドル２１０と第２ハンドル２２０とを第１状態位置に付勢する力が作用する。連結プレート２１５の下端が、実施の形態１におけるストッパ棒の機能を果たし、第２ハンドル２２０が当接することで、第２ハンドル２２０の回転位置が固定される。
【００４８】
（シールリング１０００の変形）
図１０および図１１を参照して、上記構成を有するシールリング装着用器具２００の使用状態について説明する。図１０に示すように、定常状態（第１状態位置）にあるシールリング装着用器具２００の、第１係合部１１３ａ、第２係合部１１３ｂ、および、第３係合部１２３に、シールリング１０００位置させる。具体的には、シールリング１０００の内周面側に第１係合部１１３ａおよび第２係合部１１３ｂが位置し、シールリング１０００の外周面側に第３係合部１２３を位置させる。
【００４９】
図１１に示すように、使用者が第１ハンドル２１０の第１グリップ２１１および第２ハンドル２２０の第２グリップ２２１を握り、第１グリップ２１１と第２グリップ２２１とを近接させる。これにより、図１１に示すように、シールリング１０００は、平面視において略ハート型に変形する。
【００５０】
これにより、シールリング１０００の外径最大寸法は、シールリング１０００の通常状態の直径寸法より小さくすることができる。その結果、この状態で、シールリング１０００をシリンダの内周面に環状に設けられたシール溝にまで運びこみ、徐々にシールリング１０００は拡径させることで、容易に、シリンダの内周面に環状に設けられたシール溝にシールリング１０００を嵌め入れることを可能とする。
【００５１】
さらに、本実施の形態のシールリング装着用器具２００においては、第１係合部１１３ａの近傍に移動阻止部材２１３ａが設けられ、第２係合部１１３ｂの近傍に移動阻止部材２１３ｂが設けられている。これにより、シールリング１０００の他端側（図示の上側）への変形を阻止し、同一平面内においてシールリング１０００を変形させることが可能となる。
【００５２】
（実施の形態３：シールリング装着用器具３００）
図１２から図１６を参照して、本実施の形態のシールリング装着用器具３００ついて説明する。図１２および図１３は、シールリング装着用器具３００の全体構成を示す第１斜視図および第２斜視図、図１４は、シールリング装着用器具３００のハンドルを握った状態の斜視図、図１５および図１６は、シールリング装着用器具３００の使用状態を示す第１斜視図および第２斜視図である。
【００５３】
図１２および図１３を参照して、シールリング装着用器具３００は、実施の形態１同様に、シリンダの内周面に環状に設けられたシール溝にシールリングを嵌め入れる際に、このシールリングを変形させるためのシールリング装着用器具である。
【００５４】
シールリング装着用器具３００は、第１ハンドル３１０と第２ハンドル３２０とを有する。第１ハンドル３１０は、一端側が二股に分かれた第１脚部３１２ａおよび第２脚部３１２ｂと、他端側に把持するための第１グリップ３１１とを含む。第１脚部３１２ａおよび第２脚部３１２ｂは、連結プレート３１５の一端側に固定され、第１グリップ３１１は、連結プレート３１５の他端側に固定されている。
【００５５】
第１脚部３１２ａの一端側の先端部には、実施の形態１と同様に、シールリングに係合する第１係合部３１３ａが設けられている。第２脚部３１２ｂの一端側の先端部にも、同様に、シールリングに係合する第２係合部３１３ｂが設けられている。第１係合部３１３ａおよび第２係合部３１３ｂの位置および形状は、実施の形態１と同じである。
【００５６】
第２ハンドル３２０は、第１脚部３１２ａおよび第２脚部３１２ｂの間を通過するように配置され、他端側に把持するための第２グリップ３２１を含み、第１ハンドル３１０に対して支軸３３０を中心に、第１ハンドル３１０に対して相対的に回動可能に設けられている。
【００５７】
第２ハンドル３２０の一端側の先端部には、シールリングに係合する第３係合部１２３が設けられている。第３係合部１２３の位置および形状は、実施の形態１と同じである。
【００５８】
支軸３３０は、連結プレート３１５内を貫通するように設けられている。支軸３３０の両端部は、Ｃリング３２２により抜けが防止されている。
【００５９】
第２ハンドル３２０の中央部には、三角形状の支持プレート３２６が設けられ、この支持プレート３２６に支軸３３０が固定されている。連結プレート３１５には、矩形形状の貫通孔３１６が設けられ、支持プレート３２６は、この貫通孔３１６に収容されている。
【００６０】
連結プレート３１５には、第２ハンドル３２０の第２グリップ３２１側に延びるシールリング支持部材３５０が設けられている。シールリング支持部材３５０は、連結プレート３１５から第２ハンドル３２０の第２グリップ３２１側に延びる第１支持棒３５０ａおよび第２支持棒３５０ｂを含む。
【００６１】
第１支持棒３５０ａは、略水平方向に延びる水平部３５０ａ１と第１ハンドル３１０の一端側に延びる垂下部３５０ａ２とを含む。垂下部３５０ａ２の先端部には、シールリングを受けるための傾斜部３５１ａと、シールリングを上方側から抑える抑えピン３５２ａとが設けられている。
【００６２】
さらに、水平部３５０ａ１には、コイルバネ３５３ａが嵌め入れられており、第１支持棒３５０ａは、シールリングの内径に応じて連結プレート３１５からの突出量を調整することが可能に設けられている。
【００６３】
第２支持棒３５０ｂも、第１支持棒３５０ａと同様に、略水平方向に延びる水平部３５０ｂ１と第１ハンドル３１０の一端側に延びる垂下部３５０ｂ２とを含む。垂下部３５０ｂ２の先端部には、シールリングを受けるための傾斜部３５１ｂと、シールリングを上方側から抑える抑えピン３５２ｂとが設けられている。
【００６４】
水平部３５０ｂ１には、コイルバネ３５３ｂが嵌め入れられており、第２支持棒３５０ｂは、シールリングの内径に応じて連結プレート３１５からの突出量を調整することが可能に設けられている。
【００６５】
上述した構成のシールリング支持部材３５０は、シールリングの他端側への移動を阻止する移動阻止部材として機能する。
【００６６】
（シールリング１０００の変形）
図１５および図１６を参照して、上記構成を有するシールリング装着用器具３００の使用状態について説明する。図１５に示すように、定常状態（第１状態位置）にあるシールリング装着用器具３００の、第１係合部３１３ａ、第２係合部３１３ｂ、および、第３係合部３２３に、シールリング１０００を位置させる。具体的には、シールリング１０００の内周面側に第１係合部３１３ａおよび第２係合部３１３ｂが位置し、シールリング１０００の外周面側に第３係合部３２３を位置させる。
【００６７】
さらに、第１支持棒３５０ａの傾斜部３５１ａおよび抑えピン３５２ａ、並びに、第２支持棒３５０ｂの傾斜部３５１ｂおよび抑えピン３５２ｂによりシールリング１０００を支持するように、第１支持棒３５０ａの水平部３５０ａ１の突出長さ、および、第２支持棒３５０ｂの水平部３５０ｂ１の突出長さを調整する。
【００６８】
図１６に示すように、使用者が第１ハンドル３１０の第１グリップ３１１および第２ハンドル３２０の第２グリップ３２１を握り、第１グリップ３１１と第２グリップ３２１とを近接させる。これにより、図１６に示すように、シールリング１０００は、平面視におて略ハート型に変形する。
【００６９】
これにより、シールリング１０００の外径最大寸法は、シールリング１０００の通常状態の直径寸法より小さくすることができる。その結果、この状態で、シールリング１０００をシリンダの内周面に環状に設けられたシール溝にまで運びこみ、徐々にシールリング１０００は拡径させることで、容易に、シリンダの内周面に環状に設けられたシール溝にシールリング１０００を嵌め入れることを可能とする。
【００７０】
さらに、本実施の形態のシールリング装着用器具２００においては、第１支持棒３５０ａおよび第２支持棒３５０ｂによりシールリング１０００を保持していることから、シールリング１０００の他端側（図示の上側）への変形を阻止し、同一平面内においてシールリング１０００を変形させることが可能となる。
【００７１】
（実施の形態４：シールリング装着用器具４００）
図１７を参照して、本実施の形態のシールリング装着用器具４００ついて説明する。図１７は、本実施の形態のシールリング装着用器具４００の全体構成を示す斜視図である。
【００７２】
このシールリング装着用器具４００の基本的構成は、実施の形態１のシールリング装着用器具１００と同じであることから、同一の箇所には同一の参照番号を付して、重複する説明は繰り返さない。
【００７３】
実施の形態１に示したシールリング装着用器具１００においては、第２グリップ１２１に三角形状に折り曲げ部を設け、その領域に三角形状の支持プレート１２６を設ける構成を採用していた。他方、本実施の形態では、第２グリップ１２１を折り曲げることなく三角形状の支持プレート４２６を設けている。この構成においても、実施の形態１のシールリング装着用器具１００と同様の作用効果を得ることができる。
【００７４】
（実施の形態５：シールリング装着用器具５００）
図１８を参照して、本実施の形態のシールリング装着用器具５００ついて説明する。このシールリング装着用器具５００の基本的構成は、実施の形態４のシールリング装着用器具４００と同じであることから、同一の箇所には同一の参照番号を付して、重複する説明は繰り返さない。
【００７５】
実施の形態４に示したシールリング装着用器具４００においては、第１ハンドル１１０の第１係合部１１３ａおよび第２係合部１１３ｂは、第２ハンドル１２０の第３係合部１２３側に面する凹部から構成されている。しかし、本実施の形態では、第１ハンドル１１０の第１係合部５１３ａおよび第２係合部５１３ｂは、いずれも、第１ハンドル１１０の丸棒の直径よりも細い径からなる軸部から構成されている。この構成においても、実施の形態４のシールリング装着用器具４００と同様の作用効果を得ることができる。
【００７６】
（実施の形態６：シールリング装着用器具６００）
図１９を参照して、本実施の形態のシールリング装着用器具６００ついて説明する。このシールリング装着用器具６００の基本的構成は、実施の形態５のシールリング装着用器具５００と同じであることから、同一の箇所には同一の参照番号を付して、重複する説明は繰り返さない。
【００７７】
実施の形態５に示したシールリング装着用器具５００においては、第１脚部１１２ａおよび第２脚部１１２ｂは、丸棒をＵ字形状に成型した構成を有している。しかし、本実施の形態では、第１脚部６１２ａおよび第２脚部６１２ｂは、板材から切削加工により成型した構成を有している。この構成においても、実施の形態５のシールリング装着用器具５００と同様の作用効果を得ることができる。
【００７８】
以上、本発明の実施の形態について説明したが、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【符号の説明】
【００７９】
１００，２００，３００，４００，５００，６００  装着用器具、１１０，２１０，３１０  第１ハンドル、１１１，２１１，３１１  第１グリップ、１１２ａ，２１２ａ，３１２ａ，６１２ａ  第１脚部、１１２ｂ，２１２ｂ，３１２ｂ，６１２ｂ  第２脚部、１１３ａ，３１３ａ，５１３ａ  第１係合部、１１３ｂ，３１３ｂ，５１３ｂ  第２係合部、１２０，２２０，３２０  第２ハンドル、１２１，２２１，３２１  第２グリップ、１２２，２２２，３２２  リング、１２３，３２３  第３係合部、１２６，２２６，３２６，４２６  支持プレート、１３０，２３０，３３０  支軸、１４０，３５３ａ，３５３ｂ  コイルバネ、１４１  ストッパ棒、２１３ａ，２１３ｂ  移動阻止部材、２１５，３１５  連結プレート、２１６，３１６  貫通孔、３５０  支持部材、３５０ａ２，３５０ｂ２  垂下部、３５０ａ  第１支持棒、３５０ａ１，３５０ｂ１  水平部、３５０ｂ  第２支持棒、３５１ａ，３５１ｂ  傾斜部、３５２ａ，３５２ｂ  抑えピン、１０００  シールリング。
【図１】
2020146769.tif 000003
【図２】
2020146769.tif 000004
【図３】
2020146769.tif 000005
【図４】
2020146769.tif 000006
【図５】
2020146769.tif 000007
【図６】
2020146769.tif 000008
【図７】
2020146769.tif 000009
【図８】
2020146769.tif 000010
【図９】
2020146769.tif 000011
【図１０】
2020146769.tif 000012
【図１１】
2020146769.tif 000013
【図１２】
2020146769.tif 000014
【図１３】
2020146769.tif 000015
【図１４】
2020146769.tif 000016
【図１５】
2020146769.tif 000017
【図１６】
2020146769.tif 000018
【図１７】
2020146769.tif 000019
【図１８】
2020146769.tif 000020
【図１９】
2020146769.tif 000021